(57)【特許請求の範囲】
【請求項１】
入力端子、出力端子を有する光カプラー、および該光カプラーに対をなして平行に縦続された第１、第２の光ファイバー格子ブランチを有する分散等化器と、
前記入力端子、前記出力端子にそれぞれ接続された第１、第２ファイバー増幅部と、
光信号を前記第１ファイバー増幅部から入力する接続手段および光信号を前記第２ファイバー増幅部へ出力する接続手段とを備え、
前記第１、第２の光ファイバー格子ブランチのうち一方は、動作波長λｃより上側の帯域幅の光を反射するようにチャーピングされた第１の格子素子を有し、前記第１、第２の光ファイバー格子ブランチのうち他方は、動作波長λｃより下側の帯域幅の光を反射するようにチャーピングされた第２の格子素子を有し、前記分散等化器の全帯域幅Δλは、前記第１、第２の格子素子の帯域幅を組み合わせたものとされている
ことを特徴とする光中継器。
【請求項２】
第１の長さの前記第１ファイバー増幅部および第２の長さの前記第２ファイバー増幅部は、一つの増幅用レーザー源に連結されている
ことを特徴とする請求項１に記載の光中継器。
【請求項３】
複数の波長で動作する波長分割多重システムに対する複数波長用の光中継器であって、前記第１、第２の光ファイバー格子ブランチは、一続きに連結されてなる複数の格子素子を有し、各格子素子は、複数の動作波長のうちの一波長の光を反射するように設計されている
ことを特徴とする請求項１に記載の光中継器。
【請求項４】
４つの波長動作用の光中継器であり、各々の前記光ファイバー格子ブランチは、４個の格子素子が一続きに接続されてなり、各格子素子は、４つの搬送波長のうちの一波長の光を反射し、かつ他の波長の光を通すように設計されている
ことを特徴とする請求項１に記載の光中継器。
【請求項５】
各格子素子は、一次的なチャーピングを有するファイバー内ブラッグ格子である
ことを特徴とする請求項１に記載の光中継器。
【請求項６】
Δλが２つのブランチの分散等化器の帯域幅を示すとして、前記第１の格子素子は、その有効屈折率と格子メカニカル・ピリオドとの平均的な積が、波長（λｃ−Δλ／２）／２と一致するようにチャーピングされており、前記第２の格子素子は、その有効屈折率と格子メカニカル・ピリオドとの平均的な積が、波長（λｃ＋Δλ／２）／２と一致するようにチャーピングされている
ことを特徴とする請求項１に記載の光中継器。
【請求項７】
前記第１ファイバー増幅部は、第１の長さのエルビウムが添加されてなるファイバーを有し、前記第２ファイバー増幅部は、第２の長さのエルビウムが添加されてなるファイバーを有している
ことを特徴とする請求項１に記載の光中継器。
【請求項８】
前記光カプラーは、前記入力端子、前記出力端子および他の２つの端子を有する４端子の光カプラーであり、前記第１および第２の光ファイバー格子ブランチは、前記光カプラーの前記他の２つの端子に接続されている
ことを特徴とする請求項１に記載の光中継器。
【請求項９】
単一の波長動作用の光中継器であり、各々の前記光ファイバー格子ブランチは、縦続されて１組の格子対を形成する１つの格子である
ことを特徴とする請求項１に記載の光中継器。
【請求項１０】
波長λａ、λｂ、λｃ、・・・λｎの複数の波長動作用の光中継器であり、各々の前記光ファイバー格子ブランチは、ｎ個の格子素子が一続きに接続されてなり、各々の前記格子素子は、波長λａ、λｂ、λｃ、・・・λｎの搬送波長のうちの一波長の光を反射する
ことを特徴とする請求項１に記載の光中継器。
【請求項１１】
４つの波長動作用の光中継器であり、各々の前記光ファイバー格子ブランチは、４個の格子素子が一続きに接続されてなる
ことを特徴とする請求項１０に記載の光中継器。
【請求項１２】
入力端子、出力端子を有する光カプラーおよび該光カプラーの他の端子に対をなして平行に縦続された第１、第２の格子素子を有する分散等化器と、
前記入力端子、前記出力端子にそれぞれ接続された第１、第２光ファイバー増幅部と、
光信号を前記第１光ファイバー増幅部から入力する接続手段および光信号を前記第２光ファイバー増幅部へ出力する接続手段とを備え、
λｃが前記分散等化器の中心波長を示し、Δλが該分散等化器の帯域幅を示すとして、前記第１の格子素子は、その有効屈折率と格子メカニカル・ピリオドとの平均的な積が、波長（λｃ−Δλ／２）／２と一致するようにチャーピングされており、前記第２の格子素子は、その有効屈折率と格子メカニカル・ピリオドとの平均的な積が、波長（λｃ＋Δλ／２）／２と一致するようにチャーピングされている
ことを特徴とする光中継器。
【発明の詳細な説明】
【０００１】
【発明の属する技術分野】
本発明は、単一および複数の波長動作用の光中継器に関し、特に搬送波長によって２．５Ｇｂ／ｓ〜１０Ｇｂ／ｓのビットレートで動作する波長分割多重（ＷＤＭ）光遠距離通信システムに適用して有用な技術に関する。
【０００２】
【従来の技術】
既存の光ファイバーネットワークは、主として非分散シフト型ファイバー（ＮＤＳＦ）で構築されている。波長分割多重（ＷＤＭ）光通信システムにとって、非分散シフト型ファイバーを介した光信号の伝搬中に生じる色の分散は、１５５０ｎｍの波長域で動作する光通信システムにおける帯域距離積を制限する主要な要因となっている。
【０００３】
１５５０ｎｍ波長域における色の分散補償は、この制限を克服する興味深い方法である。分散補償に対する種々の提案や手段がなされている。
【０００４】
従来は、分散補償型ファイバー（ＤＣＦ）を使用する手段が広く用いられている。他の補償手段として、ファイバー格子、光干渉計、または複屈折型光ファイバーを接続したものが知られている。
【０００５】
他の装置から送られてくる信号を伝送する光ファイバーおよび分散補償素子による伝送損失を克服するために、その分散補償素子は、エルビウムが添加された１または２のファイバ増幅器と組み合わせて使用される。それらファイバ増幅器は、いずれも増幅用のレーザーを必要とする。このような組み合わせは、従来より、分散補償型ファイバーと別個の形態あるいは分散補償型ファイバーと集積された形態のいずれにおいても用いられている。その結果、中継装置は、高価かつ大規模なものとなってしまう。
【０００６】
分散補償型ファイバーに代えて、分散等化器としてファイバー格子を使用することは、より低コスト化の可能性を有している。しかし、格子システムを使用した公知の分散等化器は、光帯域幅が狭く、結果として搬送周波数のゆらぎに対して過敏であるという欠点を有している。例えば、Ｅｐｗｏｒｔｈの米国特許第４９５３９３９号「Ｏｐｔｉｃａｌ  Ｆｉｂｒｅ  Ｔｒａｎｓｍｉｓｓｉｏｎ  Ｓｙｓｔｅｍｓ」には、分散均一化に対してチャーピングされる（chirped)ブラッグ反射器および方向性結合器を用いた光ファイバー伝送システムについて記載されている。Ｅｐｗｏｒｔｈは、格子の反射特性がファイバーの長さに沿って徐々に変化するようなファイバーを用いている。そのファイバーの異なる部分は、異なる周波数の光を反射する。そして、このシステムでは、ある程度の帯域幅が生じる。また、実際に、分散等化器を構成する光ファイバー格子は、いずれもその損失を補償するために光増幅器を必要とする。
【０００７】
【発明が解決しようとする課題】
チャーピングされたファイバー格子の光帯域幅は、格子長さに直接比例する。格子安定性および生産性の一方または両方に基づいて実際の長さの制限が与えられると、所望の光帯域幅は、格子チャーピングパラメーター(grating chirp parameter) を決定し、同様に、ファイバー格子から分散補償量を決定する。公知のシステムでは、分散補償量を多くすると、与えられた格子長に対する光帯域幅が犠牲となってしまう。
【０００８】
本発明はかかる事情に鑑みてなされたもので、より小型で、より低コストで、光帯域幅が改善されてなる、分散均一化された単一および複数の波長動作用光中継器を提供することを主たる目的としている。
【０００９】
【課題を解決するための手段】
本発明の一つによれば、光カプラーの２つの端子に平行に連結され、対をなして縦続されてなる第１の長さの光ファイバー格子および第２の長さの光ファイバー格子を有する分散等化器を具備し、縦続された格子が、第１の長さのファイバー増幅器と第２の長さのファイバー増幅器との間に連結されてなる光中継器が提供される。
【００１０】
従って、分散等化は、縦続された２つの長さのファイバー格子によってなされ、そのゆえ、その帯域幅は、単一の格子を用いた場合の同じ分散補償量に対して２倍になる。共通の増幅用レーザーに接続された２つの部分からなるファイバー増幅器の間に等化素子が挿入されていることにより、その等化素子の挿入損失は効果的に補償される。光中継器は、光損失および色分散の両方を補償するとともに、分散均一化に対して格子を用いた従来のシステムと比べて、帯域幅を２倍に広げる。
【００１１】
好ましくは、ファイバー増幅器は、第１の長さおよび第２の長さのエルビウム添加ファイバーを有しており、いずれの長さのファイバーも単一のレーザー源によりエネルギー供給されるようになっているとよい。そして、そのシステムは、各格子と一緒に個別の光増幅器が組み合わされてなるシステムの代わりに、単一の供給源によりエネルギー供給される光増幅器を用いる。その理由は、増幅用レーザー源は１つで十分であり、そうすることによってコストが低減されるからである。
【００１２】
さらには、複数の波長で動作する波長分割多重システムに対する複数波長用の光中継器であって、第１および第２の長さの光ファイバー格子が、一続きに連結されてなる複数の格子素子を有し、その各格子素子が、複数の動作波長のうちの一波長の光を反射するように設計された光中継器が提供される。各格子は、各波長でチャーピングされる、縦続された格子素子を有している。従って、波長分割多重方式における光中継器は、適切に調整された一続きのファイバー格子を連結することにより構成される。
【００１３】
例えば、４つの搬送波長に対する分散補償を行うための光中継器は、縦続された第１および第２の光ファイバー格子段を具備し、各格子段が、一続きの４つの光ファイバー格子素子を有しているものである。各格子素子は、４つの搬送波長のうちの一波長の光を反射し、かつ他の波長の光を通すように設計されているため、各格子素子は、それぞれ、搬送波長のうちの特定の一波長に対してチャーピングされる。
【００１４】
従って、縦続されたファイバー格子により、分散均一化と損失補償の両方を実現し、公知のシステムと比べて、光帯域幅の改善、小型、およびコスト低減を実現する光中継器が提供される。
【００１５】
【発明の実施の形態】
以下に、本発明に係る均一な分散を有する単一および複数の波長動作用光中継器の実施の形態を図面を参照しながら説明する。
【００１６】
（実施の形態１）
本発明の実施の形態１に係る光中継器１０は、図１にその概略が示されており、そして単一波長用の分散等化器１２を有している。分散等化器１２は、方向性結合器１８（光カプラー）を介して平行に接続されてなる２つの光ファイバー格子１４，１６、すなわち、４端子の方向性結合器１８の２つの端子に連結された第１光ファイバー格子１４（ＦＧ１：第１の光ファイバー格子ブランチ）および第２光ファイバー格子１６（ＦＧ２：第２の光ファイバー格子ブランチ）の縦続を備えている。
【００１７】
分散等化器１２は、エルビウムが添加された従来のファイバー増幅器（ＥＤＦＡ）の、２つに分割された第１ファイバー増幅部２０（ＥＤＦＡ１）および第２ファイバー増幅部２２（ＥＤＦＡ２）の間に連結されている。それら第１および第２のファイバー増幅部２０，２２（ＥＤＦＡ１，ＥＤＦＡ２）は、典型的に１５００〜２５００ｐｐｍの高濃度でエルビウムイオンが添加された光ファイバーでできている。例えば、第１ファイバー増幅部２０の長さは１０〜１２ｍであり、第２ファイバー増幅部２２の長さは１０〜１１ｍである。すなわち、標準的な長さである２０〜２５ｍのファイバーを２つの部分に分割したものである。第２ファイバー増幅部２２の長さは、第１ファイバー増幅部２０の長さよりも幾分、すなわち１〜２ｍ程度、長いとよい。その理由は、第２ファイバー増幅部２２では、より減衰された増幅信号によりエネルギーが供給されるからである。
【００１８】
エルビウムが添加された２つのファイバー増幅部２０，２２は、図１に示すように、３つの波長選択用カプラー２６，２８，３０（ＷＤＭ１，ＷＤＭ２，ＷＤＭ３）を用いて、単一の増幅用レーザー２４によりエネルギー供給されるようになっている。それら波長選択用カプラー２６，２８，３０（ＷＤＭ１，ＷＤＭ２，ＷＤＭ３）は、供給エネルギーの約５０％を第１ファイバー増幅部２０（ＥＤＦＡ１）に送るとともに、供給エネルギーの約５０％を第２ファイバー増幅部２２（ＥＤＦＡ２）に送るようになっている。
【００１９】
中継器の手前に接続された光ファイバーから入力された中継前の光信号は、第１光アイソレータ３２（ＩＳＯ１）を通過し、第１波長選択用カプラー２６（ＷＤＭ１）を介して、エルビウムが添加された第１ファイバー増幅部２０（ＥＤＦＡ１）を通過する。第１ファイバー増幅部２０（ＥＤＦＡ１）を通過した信号は、第２波長選択用カプラー２８（ＷＤＭ２）を通過し、第２光アイソレータ３４（ＩＳＯ２）を介して、方向性結合器１８（分散等化器１２）の入力端子１に入力する。その端子１に入力した光信号は、方向性結合器１８（分散等化器１２）の端子２，４にそれぞれ接続された第１光ファイバー格子１４（ＦＧ１）および第２光ファイバー格子１６（ＦＧ２）にて反射され、出力端子３からカプラーすなわち、方向性結合器１８（分散等化器１２）の外部へ出力する。外部に出力された光信号は、もう一つの波長選択用カプラー３０（ＷＤＭ３）を介して、エルビウムが添加された第２ファイバー増幅部２２（ＥＤＦＡ２）に入力し、もう一つの光アイソレータ３６（ＩＳＯ３）を介して、中継器外に出力する。
【００２０】
いずれの光ファイバー格子１４，１６も、ファイバーに沿って一次的に減少するピッチが形成されてなることに起因する一次的なチャーピングを有するファイバー内のブラッグ格子（Bragg grating)である。第１光ファイバー格子１４は、対応するファイバーの全長に亘って形成されている。従って、そのファイバーの実効的な長さは、３ｃｍ〜３．３ｃｍであり、ファイバー内のブラッグ格子の長さに等しい。第２光ファイバー格子１６が形成されたファイバー部分は、全長６ｃｍ〜６．６ｃｍであり、そのファイバーの後半分にのみ第２光ファイバー格子１６が形成されている。従って、第２光ファイバー格子１６の長さも３ｃｍ〜３．３ｃｍである。図１に示す単一波長の提案における信号搬送波長λｓは、図３に示す２つのブランチの等化器の中心波長λｃに対応している。Δλが２つのブランチのファイバー格子等化器の帯域幅を示すとして、ファイバー格子１４（ＦＧ１）は、その有効屈折率と格子メカニカル・ピリオドとの平均的な積が、波長（λｃ−Δλ／２）／２と一致するようにチャーピングされており、同時に、ファイバー格子１６（ＦＧ２）は、その有効屈折率と格子メカニカル・ピリオドとの平均的な積が、波長（λｃ＋Δλ／２）／２と一致するようにチャーピングされている。それゆえ、本発明の実施の形態１の光中継器では、２つの長さのファイバー格子が縦続されているため、単一の格子を用いた場合と比較して、同じ分散補償量に対して帯域幅が２倍（図３参照）になっている。
【００２１】
両光ファイバー格子１４，１６とも、１５３０〜１５６０ｎｍ域で機能する場合には、入力する光信号に対して反射モードとなり、入力信号のスペクトル幅内のより短い波長の光は、より長い波長の光よりも、格子内でより遠くまで到達する。その結果、信号のスペクトル幅内のより長い波長の光とより短い波長の光との間に生じる群遅延が補償される。
【００２２】
図１に概略的に示された２つの帯域の分散等化器は、搬送波長のゆらぎΔλ−Δλｓを許容し得る。ここで、Δλは分散等化器１２の光帯域幅を表し、Δλｓはデータ信号の光スペクトル幅を表す。信号搬送波長が２つのブランチの等化器の中心波長よりも低くなる場合には、第１光ファイバー格子１４（ＦＧ１）の分散補償機能が優勢となり、また、信号搬送波長が２つのブランチの等化器の中心波長よりも高くなる場合には、第２光ファイバー格子１６（ＦＧ２）の分散補償機能が優勢となる。光アイソレータ３２，３４，３６（ＩＳＯ１，ＩＳＯ２，ＩＳＯ３）は、反対方向への反射信号が前段の素子の動作に影響するのを防ぐために設けられている。各アイソレータ３２，３４，３６の挿入損失は、好ましくは０．５ｄＢよりも低く、反対方向への減衰は、３０ｄＢよりも高いとよい。従来の波長分割多重カプラー（波長選択用カプラー）２６，２８，３０（ＷＤＭ１，ＷＤＭ２，ＷＤＭ３）は、光ファイバー２０，２２に増幅用エネルギーを注入するために設けられている。３ｄＢの方向性結合器（分散等化器）１２は、２つのブランチのファイバー格子１４，１６を接続するのに使用されている。
【００２３】
方向性結合器１８の端子１と端子３の間で測定された方向性結合器１８およびファイバー格子１４，１６による全挿入損失は、７ｄＢ〜９ｄＢであった。増幅信号は、信号経路を介して分散等化器１２（方向性結合器１８）を迂回し、第２波長選択用カプラー２８（ＷＤＭ２）から第３波長選択用カプラー３０（ＷＤＭ３）に直接送られる。各波長選択用カプラー（ＷＤＭカプラー）２６，２８，３０による光挿入損失は、いずれも０．９ｄＢ〜１．２ｄＢである。
【００２４】
この光中継器は、中継器に接続されて中継前の光信号が伝搬されてくる、最大長約８０〜１０５ｋｍで、色の全分散が１７００〜１８００ｐｓ／ｎｍの光ファイバーに起因する損失および色の分散の両方を補償することができる。
【００２５】
増幅用レーザーの全光パワーは、中心波長９８０ｎｍで１３〜１６ｄＢｍの範囲内であった。エルビウムが添加された第１ファイバー増幅部２０および第２ファイバー増幅部２２の全利得は、２７〜３３ｄＢの範囲内である。入力信号は、搬送波長において−１５ｄＢｍよりも低くなかった。
【００２６】
従って、分散等化素子の挿入損失は、好ましくは同じ増幅用レーザーを共有する２つのファイバー増幅部２０，２２の間に分散等化素子が挿入されていることにより、効果的に補償される。
【００２７】
この提案は、波長分割多重方式の動作に対しても拡張され得る。すなわち、複数の波長を用い、複数のファイバー格子を、各格子段において適切に調整して一続きに連結することによってなされる。
【００２８】
（実施の形態２）
そこで、図２には、本発明の実施の形態２の４波長動作用の光中継器１００が示されている。この光中継器１００は、図１に示された光中継器１０と同様のものであり、例えば分散等化器１１２、共通のレーザー源１２４によりエネルギー供給されるエルビウム添加の第１ファイバー増幅部１２０および第２ファイバー増幅部１２２のように、図１に示した光中継器１０と同様の構成要素には、百番代で下２桁が同じ参照符号が付されている。波長選択用カプラーおよび光アイソレータは、実施の形態１のものと同様に設けられている。実施の形態２の光中継器１００が、実施の形態１の光中継器１０と異なるのは以下の点である。すなわち、図１に示すように各ブランチにそれぞれ設けられた単一の格子１４，１６が縦続されている代わりに、実施の形態２の光中継器１００では、図３に示すように、各格子ブランチ１１４，１１６がそれぞれ４つの一続きのファイバー格子でできていて、４組の格子対が効果的に縦続されており、いずれの格子対も特定の搬送波長用に設計されているという点である。４波長用光中継器の動作原理は、実施の形態１の単一波長用光中継器の動作原理と同じであるが、各ファイバー格子段において波長選択が行われる点で異なる。各段のそれぞれのファイバー格子は、対応する搬送波長を反射し、他の搬送波長については反射せずに伝送するという機能を有する。
【００２９】
例えば、図２において、ＦＧ１ａおよびＦＧ２ａで示された格子は搬送波長λａ用に設計されており、ＦＧ１ｂおよびＦＧ２ｂで示された格子は搬送波長λｂ用に設計されており、ＦＧ１ｃおよびＦＧ２ｃで示された格子は搬送波長λｃ用に設計されており、ＦＧ１ｄおよびＦＧ２ｄで示された格子は搬送波長λｄ用に設計されている。従って、各格子ＦＧ１ａ，ＦＧ１ｂ，ＦＧ１ｃ，ＦＧ１ｄは、それぞれ、前述した原理によって、搬送波長（λａ−Δλ／２）／２、（λｂ−Δλ／２）／２、（λｃ−Δλ／２）／２および（λｄ−Δλ／２）／２に一致するように、チャーピングされる。また、各格子ＦＧ２ａ，ＦＧ２ｂ，ＦＧ２ｃ，ＦＧ２ｄは、それぞれ、搬送波長（λａ＋Δλ／２）／２、（λｂ＋Δλ／２）／２、（λｃ＋Δλ／２）／２および（λｄ＋Δλ／２）／２に一致するように、チャーピングされる。
【００３０】
実際には、搬送波長の相互の波長間隔は、３ｎｍよりも小さい。光等化器は、各搬送波長に対して独立して動作し、特定の搬送波長とその波長に対応していない格子との相互作用は無視し得る程度である。図２に示されたシステムの全利得は３２ｄＢｍである。
【００３１】
実際にコンパクトな装置の中に、動作の安定性の低下を招くことなく、限定された長さの分散格子ファイバーを収容することができれば、このシステムは、４波長よりもさらに多くの波長で動作するシステムにも拡張され得る。
【００３２】
上述した各実施の形態では、ファイバーの分散格子には、所望のブラッグ共鳴の中心波長に対して等しい平均ピッチを有する一次的なチャーピングが提供され、信号キャリア光学波長ガイドの有効屈折率を１／２にする。その格子のチャーピング量は、０．２３ｎｍ〜０．２５ｎｍの範囲内である。ＦＧ２およびＦＧ２ａの格子を除いて、各格子の長さは、０．２５ｎｍ〜０．２７ｎｍの光帯域幅でもって、３．０ｃｍ〜３．３ｃｍである。ＦＧ２およびＦＧ２ａの格子を形成する部分の長さは、６．０ｃｍ〜６．６ｃｍである。この長さの前半分が格子のない普通のファイバーであり、後半分がファイバーに形成された格子に相当する。２つのブランチのファイバー格子対の全光帯域幅は、０．４２ｎｍ〜０．４７ｎｍである。
【００３３】
従って、上述された図１，２に示す光中継器は、該中継器に接続され中継前の光信号が伝搬される、例えば８０ｋｍ〜１０５ｋｍ長で全色分散が１７００〜１８００ｐｓ／ｎｍの光ファイバーに起因する損失および色の分散を補償する。
【００３４】
増幅用レーザーの全光パワーは、中心波長９８０ｎｍにおいて１３〜１６ｄＢｍの範囲内である。第１ファイバー増幅部（ＥＤＦＡ１）および第２ファイバー増幅部（ＥＤＦＡ２）の全利得は、２７ｄＢ〜３３ｄＢの範囲である。入力信号レベルは、搬送波長において−１５ｄＢｍよりも低くはならない。
【００３５】
従って、光カプラーの２つの端子に平行に連結された、少なくとも２つの縦続されてなる光ファイバー格子によって提供される単一波長および複数波長用の分散均一化機能を有し、光ファイバー格子でできた分散補償器の狭い光帯域幅を広げる共通のエネルギー供給源に連結された第１および第２のファイバー増幅部の間に連結され、単一のエネルギー供給源とともにファイバー増幅器（ＥＤＦＡ）を用いたコンパクトで効果的な装置の場合に分散補償器により生じる光損失を補償する光中継器が提供される。
【００３６】
以上、本発明の特定の実施の形態について詳述したが、これらの実施の形態の種々の変形および変更が、特許請求の範囲の記載から明らかとなる本発明の技術的範囲に含まれることはいうまでもない。
【００３７】
【発明の効果】
以上説明したとおり、この発明に係る光中継器によれば、各波長に対して２つの格子部分を設けたことにより、単一の格子を用いたものと比べて、等化器の光帯域幅が改善されて、実効帯域幅が２倍となる。さらには、分散等化器の格子は、単一の増幅用レーザーを共有する２つのファイバー増幅部の間に配置される。それによって、この装置は、個別の部品を用いて構成された同等の性能を有するシステムと比べて、低コストでより小型であるにもかかわらず、分散補償と損失補償の両方を実現することができる。
【図面の簡単な説明】
【図１】本発明の実施の形態１における単一波長用の光中継器を示す図である。
【図２】本発明の実施の形態２における波長分割多重方式での複数波長用の光中継器を示す図である。
【図３】実施の形態１の２つのブランチファイバーの格子等化器に対する光帯域幅および分散曲線を示す図である。
【符号の説明】
１０，１００  光中継器
１２，１１２  分散等化器
１４，１６  光ファイバー格子
１８  方向性結合器
２０，２２，１２０，１２２  ファイバー増幅部
２６，２８，３０  波長選択用カプラー
２４、１２４  増幅用レーザー
３２，３４，３６  光アイソレータ
１１４，１１６  格子ブランチ
【図１】
0003755962.tif 000002
【図２】
0003755962.tif 000003
【図３】
0003755962.tif 000004